(57)【要約】【課題】、画像を視聴する者が撮影者自身である場合に、撮影者自身が写っている画像を優先して記録や再生を行う技術を実現する。【解決手段】撮像装置は、被写体側を撮影する第１の撮像手段と、撮影者側を撮影する第２の撮像手段と、前記第２の撮像手段で撮影された画像データから被写体を検出する検出手段と、前記検出手段により検出された被写体が所定の被写体であるか判定する判定手段と、前記判定手段により前記検出された被写体が所定の被写体であると判定された場合、前記第１の撮像手段よりも前記第２の撮像手段の撮影パラメータの設定を優先させるように制御する制御手段と、を有する。【選択図】図５
2014112822.tif 000002
【特許請求の範囲】
【請求項１】
被写体側を撮影する第１の撮像手段と、
撮影者側を撮影する第２の撮像手段と、
前記第２の撮像手段で撮影された画像データから被写体を検出する検出手段と、
前記検出手段により検出された被写体が所定の被写体であるか判定する判定手段と、
前記判定手段により前記検出された被写体が所定の被写体であると判定された場合、前記第１の撮像手段よりも前記第２の撮像手段の撮影パラメータの設定を優先させるように制御する制御手段と、を有することを特徴とする撮像装置。
【請求項２】
前記判定手段により前記検出された被写体が所定の被写体であると判定された場合、前記制御手段は、前記所定の被写体が検出されていない場合よりも前記第２の撮像手段で撮影された画像の記録画素数を大きくすることを特徴とする請求項１に記載の撮像装置。
【請求項３】
前記判定手段により前記検出された被写体が所定の被写体であると判定された場合、前記制御手段は、前記第１の撮像手段で撮影された画像データよりも前記第２の撮像手段で撮影された画像データの記録画素数を大きくすることを特徴とする請求項１に記載の撮像装置。
【請求項４】
前記判定手段により前記検出された被写体が所定の被写体であると判定された場合、前記制御手段は、前記第２の撮像手段で撮影された画像データの記録画素数を小さくすることを特徴とする請求項１に記載の撮像装置。
【請求項５】
前記撮影パラメータを設定する設定手段と、撮影者のユーザ登録を行う登録手段とをさらに有し、
前記所定の被写体は、前記登録手段により登録された撮影者であることを特徴とする請求項１ないし４のいずれか１項に記載の撮像装置。
【請求項６】
前記検出手段が検出する被写体は、人物の顔であり、
前記制御手段は、前記第２の撮像手段で撮影された画像データから所定の人物の顔が検出された場合、前記第１の撮像手段で撮影された画像データよりも前記第２の撮像手段で撮影された画像データの記録画素数を大きくすることを特徴とする請求項１ないし３のいずれか１項に記載の撮像装置。
【請求項７】
前記検出手段が検出する被写体は、人物の顔であり、
前記制御手段は、前記第２の撮像手段で撮影された画像データから所定の人物の顔が検出された場合、前記第１の撮像手段で撮影された画像データの圧縮率よりも前記第２の撮像手段で撮影された画像データの圧縮率を低くすることを特徴とする請求項１ないし３のいずれか１項に記載の撮像装置。
【請求項８】
被写体側を撮影する第１の撮像手段と、
撮影者側を撮影する第２の撮像手段と、
前記第１の撮像手段で撮影された第１の画像データと、前記第２の撮像手段で撮影された第２の画像データから被写体を検出する検出手段と、
前記第１の画像データから検出された被写体と、前記第２の画像データから検出された被写体を比較する比較手段と、
前記比較手段による比較の結果、前記第１の画像データから検出された被写体と、前記第２の画像データから検出された被写体が同一である場合は、前記第１の画像データを前記第２の画像データよりも優先して表示手段に表示し、同一の被写体ではない場合は、前記第２の画像データを前記第１の画像データよりも優先して前記表示手段に表示するように制御する制御手段と、を有することを特徴とする撮像装置。
【請求項９】
前記制御手段は、前記比較手段による比較の結果、前記第１の画像データから検出された被写体と、前記第２の画像データから検出された被写体が同一である場合は、前記第１の画像データを前記第２の画像データよりも大きく前記表示手段に表示し、同一の被写体ではない場合は、前記第２の画像データを前記第１の画像データよりも大きく前記表示手段に表示するように制御することを特徴とする請求項８に記載の撮像装置。
【請求項１０】
前記制御手段は、前記比較手段による比較の結果、前記第１の画像データから検出された被写体と、前記第２の画像データから検出された被写体が同一である場合は、前記第２の画像データを表示することなく前記第１の画像データを前記表示手段に表示することを特徴とする請求項８に記載の撮像装置。
【請求項１１】
前記検出手段が検出する被写体は、人物の顔であり、
前記比較手段は、前記第１の画像データから検出された被写体と、前記第２の画像データから検出された撮影者とを比較することを特徴とする請求項９または１０に記載の撮像装置。
【請求項１２】
被写体側を撮影する第１の撮像手段と、撮影者側を撮影する第２の撮像手段と、を有する撮像装置の制御方法であって、
前記第２の撮像手段で撮影された画像データから被写体を検出する検出工程と、
前記検出された被写体が所定の被写体であるか判定する判定工程と、
前記検出された被写体が所定の被写体であると判定された場合、前記第１の撮像手段よりも前記第２の撮像手段の撮影パラメータの設定を優先させるように制御する制御工程と、を有することを特徴とする制御方法。
【請求項１３】
被写体側を撮影する第１の撮像手段と、撮影者側を撮影する第２の撮像手段と、を有する撮像装置の制御方法であって、
前記第１の撮像手段で撮影された第１の画像データと、前記第２の撮像手段で撮影された第２の画像データから被写体を検出する検出工程と、
前記第１の画像データから検出された被写体と、前記第２の画像データから検出された被写体を比較する比較工程と、
前記比較の結果、前記第１の画像データから検出された被写体と、前記第２の画像データから検出された被写体が同一である場合は、前記第１の画像データを前記第２の画像データよりも優先して表示手段に表示し、同一の被写体ではない場合は、前記第２の画像データを前記第１の画像データよりも優先して前記表示手段に表示するように制御する制御工程と、を有することを特徴とする制御方法。
【請求項１４】
コンピュータを、請求項１ないし１１のいずれか１項に記載された撮像装置の各手段として機能させるためのプログラム。
【請求項１５】
コンピュータを、請求項１ないし１１のいずれか１項に記載された撮像装置の各手段として機能させるためのプログラムを格納した記憶媒体。
【発明の詳細な説明】
【技術分野】
【０００１】
本発明は、複数の撮像手段を有する撮像装置に関する。
【背景技術】
【０００２】
最近の携帯電話やスマートフォンには、撮影者から見える被写体を撮影する通常のカメラ（アウトカメラ）とともに、撮影者自身や撮影者側の被写体を撮影するカメラ（インカメラ）が搭載されている。このようなアウトカメラとインカメラを搭載する電子機器では、シャッターボタンを押すとアウトカメラとインカメラのシャッターを同時にレリーズさせて撮影を行う。例えば、特許文献１には、表示モニタの前で画像を鑑賞している鑑賞者の顔をインカメラで撮影し、在席している鑑賞者が写っている画像を優先的に再生する技術が記載されている。
【先行技術文献】
【特許文献】
【０００３】
【特許文献１】特開２０１０−１７１８４９号公報
【発明の概要】
【発明が解決しようとする課題】
【０００４】
しかしながら、上記特許文献１では、画像を視聴する者が撮影者自身である場合については考慮されていない。一方、最近のデジタルカメラでは、記録メディアの大容量化に伴い、大量の画像から所望の画像を効率良く記録したり、再生して鑑賞できることが望ましい。特に、画像を視聴する者が撮影者自身である場合には、撮影者自身が写っている画像を優先して記録したり、再生できることが望ましい。
【０００５】
本発明は、上記課題に鑑みてなされ、その目的は、画像を視聴する者が撮影者自身である場合に、撮影者自身が写っている画像を優先して記録や再生を行う技術を実現することである。
【課題を解決するための手段】
【０００６】
上記課題を解決し、目的を達成するために、本発明の撮像装置は、被写体側を撮影する第１の撮像手段と、撮影者側を撮影する第２の撮像手段と、前記第２の撮像手段で撮影された画像データから被写体を検出する検出手段と、前記検出手段により検出された被写体が所定の被写体であるか判定する判定手段と、前記判定手段により前記検出された被写体が所定の被写体であると判定された場合、前記第１の撮像手段よりも前記第２の撮像手段の撮影パラメータの設定を優先させるように制御する制御手段と、を有する。
【発明の効果】
【０００７】
本発明によれば、画像を視聴する者が撮影者自身である場合に、撮影者自身が写っている画像を優先して記録や再生が行える。
【図面の簡単な説明】
【０００８】
【図１】本発明に係る実施形態の撮像装置の外観図。
【図２】本実施形態の撮像装置の構成を示すブロック図。
【図３】本実施形態の撮像装置の基本動作を示すフローチャート。
【図４】本実施形態の撮像装置の静止画記録モードでの動作を示すフローチャート。
【図５】本実施形態の撮像装置の再生モードでの動作を示すフローチャート。
【図６】図４のＳ４０６における撮影パラメータ設定処理を示すフローチャート。
【図７】本実施形態の撮像装置の再生モードによる再生画面を例示する図。
【図８】図６の撮影パラメータ設定処理を行うためのＵＩ画面を例示する図。
【発明を実施するための形態】
【０００９】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成しても良い。
【００１０】
以下、本発明を、例えば、静止画や動画を撮影するデジタルカメラなどの撮像装置に適用した実施形態について説明する。
【００１１】
＜装置構成＞図１を参照して、本発明に係る実施形態の撮像装置の構成及び機能の概略について説明する。
【００１２】
図１において、表示部１０１は画像や各種情報を表示する液晶表示パネル（ＬＣＤ）等からなる。シャッターボタン１０２は撮影指示を行うための操作部である。モード切替ボタン１０３は各種モードを切り替えるための操作部である。コネクタ１０７は接続ケーブル１０８とデジタルカメラ１００とを接続するインターフェースである。操作部１０４はユーザからの各種操作を受け付ける各種スイッチ、ボタン、タッチパネル等の操作部材からなる操作部である。コントローラホイール１０６は操作部１０４に含まれる回転操作可能な操作部材である。１０５は電源スイッチであり、電源オン、電源オフを切り替える。記録媒体１０９はメモリカードやハードディスク等の記録媒体である。記録媒体スロット１１０は記録媒体１０９を格納するためのスロットである。記録媒体スロット１１０に格納された記録媒体１０９は、デジタルカメラ１００との通信が可能となる。蓋１１１は記録媒体スロット１１０の蓋である。インカメラ１１２は、撮影者自身や撮影者側の被写体を撮影するカメラモジュールである。ファインダー１１３は撮影者がファイダーを覗いて被写体側を撮影するために設けられ、撮影者がファインダー１１３に接眼しているか否かを検知する接眼検知部を含んでいる。
【００１３】
図２は、本実施形態のデジタルカメラ１００の構成を例示するブロック図である。
【００１４】
図２において、本実施形態のデジタルカメラ１００は、撮影者から見える被写体を撮影するアウトカメラモジュール（以下、アウトカメラ）と、撮影者自身や撮影者側の被写体を撮影するインカメラモジュール（以下、インカメラ）が搭載されている。アウトカメラは、撮影レンズ２０３、シャッター２０４、撮像部２０５からなる第１の撮像光学系、インカメラは撮影レンズ２３３、シャッター２３４、撮像部２３５からなる第２の撮像光学系をそれぞれ備える。
【００１５】
撮影レンズ２０３、２３３はズームレンズ、フォーカスレンズを含むレンズ群である。シャッター２０４、２３４は絞り機能を備える。撮像部２０５、２３５は被写体の光学像を電気信号に変換するＣＣＤやＣＭＯＳ等で構成される撮像素子である。
【００１６】
Ａ／Ｄ変換器２０６は、撮像部２０５、２３５から出力されるアナログ信号をデジタル信号に変換する。バリア２０２は、デジタルカメラ１００の、アウトカメラ側の撮影レンズ２０３を含む撮像光学系を覆うことにより、撮影レンズ２０３、シャッター２０４、撮像部２０５を含む撮像光学系の汚れや破損を防止する。
【００１７】
画像処理部２０７は、Ａ／Ｄ変換器２０６からのデータ、又は、メモリ制御部２０９からのデータに対し所定の画素補間、縮小といったリサイズ処理や色変換処理を行う。また、画像処理部２０７では、撮像した画像データを用いて所定の演算処理が行われ、得られた演算結果に基づいてシステム制御部２０１が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２０７では更に、撮像した画像データを用いて所定の演算処理を行い、得られた演算結果に基づいてＴＴＬ方式のＡＷＢ（オートホワイトバランス）処理も行っている。
【００１８】
なお、Ａ／Ｄ変換器２０６や画像処理部２０７を撮像部２０５、２３５ごとに設けることも可能である。
【００１９】
Ａ／Ｄ変換器２０６からの出力データは、画像処理部２０７及びメモリ制御部２０９を介して、或いは、メモリ制御部２０９を介してメモリ２１０に直接書き込まれる。メモリ２１０は、撮像部２０５によって得られ、Ａ／Ｄ変換器２０６によりデジタルデータに変換された画像データや、表示部１０１に表示するための画像データを格納する。メモリ２１０は、所定枚数の静止画や所定時間の動画および音声を格納するのに十分な記憶容量を備えている。
【００２０】
また、メモリ２１０は画像表示用のメモリ（ビデオメモリ）を兼ねている。Ｄ／Ａ変換器２０８は、メモリ２１０に格納されている画像表示用のデータをアナログ信号に変換して表示部１０１に供給する。こうして、メモリ２１０に書き込まれた表示用の画像データはＤ／Ａ変換器２０８を介して表示部１０１により表示される。表示部１０１は、ＬＣＤ等の表示器上に、Ｄ／Ａ変換器２０８からのアナログ信号に応じた表示を行う。Ａ／Ｄ変換器２０６によって一旦Ａ／Ｄ変換され、メモリ２１０に蓄積されたデジタル信号をＤ／Ａ変換器２０８においてアナログ変換し、表示部１０１に逐次転送して表示することで、電子ビューファインダー（ＥＶＦ）として機能し、スルー画像表示を行える。
【００２１】
不揮発性メモリ２１３は、電気的に消去・記録可能なメモリであり、例えばＥＥＰＲＯＭ等が用いられる。不揮発性メモリ２１３には、システム制御部２０１の動作用の定数、プログラム等が記憶される。ここでいう、プログラムとは、本実施形態にて後述する各種フローチャートを実行するためのプログラムのことである。
【００２２】
システム制御部２０１は、デジタルカメラ１００全体を制御する。前述した不揮発性メモリ２１３に記録されたプログラムを実行することで、後述する本実施形態の各処理を実現する。２１２はシステムメモリであり、ＲＡＭが用いられる。システムメモリ２１２には、システム制御部２０１の動作用の定数、変数、不揮発性メモリ２１３から読み出したプログラム等を展開する。また、システム制御部２０１はメモリ２１０、Ｄ／Ａ変換器２０８、表示部１０１等を制御することにより表示制御も行う。
【００２３】
システムタイマー２１１は各種制御に用いる時間や、内蔵された時計の時間を計測する計時部である。
【００２４】
モード切替ボタン１０３、第１シャッタースイッチ１０２ａ、第２シャッタースイッチ１０２ｂ、操作部１０４はシステム制御部２０１に各種の動作指示を入力するための操作手段である。
【００２５】
モード切替ボタン１０３は、システム制御部２０１の動作モードを静止画記録モード、動画記録モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード、アウトカメラとインカメラの両方で同時撮影が可能な同時記録モード等がある。モード切替ボタン１０３で、静止画記録モードに含まれるこれらのモードのいずれかに直接切り替えられる。あるいは、モード切替ボタン１０３で静止画記録モードに一旦切り替えた後に、静止画記録モードに含まれるこれらのモードのいずれかに、他の操作部材を用いて切り替えるようにしてもよい。同様に、動画記録モードにも複数のモードが含まれていてもよい。第１シャッタースイッチ１０２ａは、デジタルカメラ１００に設けられたシャッターボタン１０２の操作途中、いわゆる半押し（撮影準備指示）でＯＮとなり第１シャッタースイッチ信号ＳＷ１を発生する。第１シャッタースイッチ信号ＳＷ１により、アウトカメラやインカメラのＡＦ（オートフォーカス）処理、ＡＥ（自動露出）処理、ＡＷＢ（オートホワイトバランス）処理、ＥＦ（フラッシュプリ発光）処理等の動作を開始する。
【００２６】
第２シャッタースイッチ１０２ｂは、シャッターボタン１０２の操作完了、いわゆる全押し（撮影指示）でＯＮとなり、第２シャッタースイッチ信号ＳＷ２を発生する。システム制御部２０１は、第２シャッタースイッチ信号ＳＷ２により、撮像部２０５や撮像部２３５からの信号読み出しから記録媒体１０９に画像データを書き込むまでの一連の撮影処理の動作を開始する。
【００２７】
操作部１０４の各操作部材は、表示部１０１に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部１０１に表示される。ユーザは、表示部１０１に表示されたメニュー画面と、上下左右の４方向ボタンやＳＥＴボタンとを用いて直感的に各種設定を行うことができる。
【００２８】
コントローラホイール１０６は、操作部１０４に含まれる回転操作可能な操作部材であり、方向ボタンと共に選択項目を指示する際などに使用される。コントローラホイール１０６を回転操作すると、操作量に応じて電気的なパルス信号が発生し、このパルス信号に基づいてシステム制御部２０１はデジタルカメラ１００の各部を制御する。このパルス信号によって、コントローラホイール１０６が回転操作された角度や、何回転したかなどを判定することができる。なお、コントローラホイール１０６は回転操作が検出できる操作部材であればどのようなものでもよい。例えば、ユーザの回転操作に応じてコントローラホイール１０６自体が回転してパルス信号を発生するダイヤル操作部材であってもよい。また、タッチセンサよりなる操作部材で、コントローラホイール１０６自体は回転せず、コントローラホイール１０６上でのユーザの指の回転動作などを検出するものであってもよい（いわゆる、タッチホイール）。
【００２９】
電源制御部２１４は、電池検出回路、ＤＣ−ＤＣコンバータ、通電するブロックを切り替えるスイッチ回路等により構成され、電池の装着の有無、電池の種類、電池残量の検出を行う。また、電源制御部２１４は、その検出結果及びシステム制御部２０１の指示に基づいてＤＣ−ＤＣコンバータを制御し、必要な電圧を必要な期間、記録媒体１０９を含む各部へ供給する。
【００３０】
電源部２１５は、アルカリ電池やリチウム電池等の一次電池やＮｉＣｄ電池やＮｉＭＨ電池、Ｌｉ電池等の二次電池、ＡＣアダプタ等からなる。記録媒体Ｉ／Ｆ２１６は、メモリカードやハードディスク等の記録媒体１０９とのインターフェースである。記録媒体１０９は、撮影された画像を記録するためのメモリカード等の記録媒体であり、半導体メモリや磁気ディスク等から構成される。
【００３１】
なお操作部１０４の一つとして、表示部１０１に対する接触を検知可能なタッチパネルを有する。タッチパネルと表示部１０１とは一体的に構成することができる。例えば、タッチパネルを光の透過率が表示部１０１の表示を妨げないように構成し、表示部１０１の表示面の上層に取り付ける。そして、タッチパネルにおける入力座標と、表示部１０１上の表示座標とを対応付ける。これにより、あたかもユーザが表示部１０１上に表示された画面を直接的に操作可能であるかのようなＧＵＩを構成することができる。システム制御部２０１はタッチパネルへの以下の操作を検出できる。タッチパネルを指やペンで触れたこと（以下、タッチダウンと称する）。タッチパネルを指やペンで触れている状態であること（以下、タッチオンと称する）。タッチパネルを指やペンで触れたまま移動していること（以下、ムーブと称する）。タッチパネルへ触れていた指やペンを離したこと（以下、タッチアップと称する）。タッチパネルに何も触れていない状態（以下、タッチオフと称する）。これらの操作や、タッチパネル上に指やペンが触れている位置座標は内部バスを通じてシステム制御部２０１に通知され、システム制御部２０１は通知された情報に基づいてタッチパネル上にどのような操作が行なわれたかを判定する。ムーブについてはタッチパネル上で移動する指やペンの移動方向についても、位置座標の変化に基づいて、タッチパネル上の垂直成分・水平成分毎に判定できる。またタッチパネル上をタッチダウンから一定のムーブを経てタッチアップをしたとき、ストロークを描いたこととする。素早くストロークを描く操作をフリックと呼ぶ。フリックは、タッチパネル上に指を触れたままある程度の距離だけ素早く動かして、そのまま離すといった操作であり、言い換えればタッチパネル上を指ではじくように素早くなぞる操作である。所定距離以上を、所定速度以上でムーブしたことが検出され、そのままタッチアップが検出されるとフリックが行なわれたと判定できる。また、所定距離以上を、所定速度未満でムーブしたことが検出された場合はドラッグが行なわれたと判定するものとする。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００３２】
＜基本動作＞図３を参照して、本実施形態のデジタルカメラ１００の起動から終了までの基本動作について説明する。なお、図３の処理は、不揮発性メモリ２１３に記録されたプログラムを、システムメモリ２１２に読み出してシステム制御部２０１が実行することにより実現する。
【００３３】
また、インカメラは、以下に述べるにようアウトカメラと基本的に同様の動作を行うが、特にインカメラに特有の処理については補足しつつ説明する。
【００３４】
デジタルカメラ１００の電源スイッチ１０５がオンされると、図３の処理が開始される。
【００３５】
Ｓ３０１では、システム制御部２０１は、フラグや制御変数等を初期化し、Ｓ３０２では、記録媒体１０９に記録されているファイルに関する管理処理を開始する。
【００３６】
Ｓ３０３、Ｓ３０５、Ｓ３０７では、システム制御部２０１は、モード切替ボタン１０３の設定位置を判定する。Ｓ３０３で静止画記録モードに設定されていた場合はＳ３０４へ進み、図４で後述する静止画記録モード処理を実行する。また、Ｓ３０５で動画記録モードに設定されていた場合はＳ３０６に進み、動画記録モード処理を実行する。また、Ｓ３０７で再生モードに設定されていた場合はＳ３０８に進み、再生モード処理を実行する。
【００３７】
また、Ｓ３０３、Ｓ３０５、Ｓ３０７で静止画記録モード、動画記録モード、再生モードのいずれにも設定されていない場合はＳ３０９へ進み、システム制御部２０１はそのたのモード処理を実行する。その他のモード処理は、例えば、記録媒体１０９に格納されたファイルの送信を行う送信モード処理、外部機器からファイルを受信して記録媒体１０９に格納する受信モード処理などである。
【００３８】
Ｓ３０４、Ｓ３０６、Ｓ３０８、Ｓ３０９で各モード処理を実行した後、Ｓ３１０へ進み、システム制御部２０１は電源スイッチ１０５の設定位置を判定する。電源スイッチ１０５がオンに設定されている場合はＳ３０３に戻り、オフに設定されている場合はＳ３１１へ進む。
【００３９】
Ｓ３１１では、システム制御部２０１は、終了処理を行う。終了処理には、例えば、表示部１０１の表示を終了状態に変更し、バリア２０２を閉じて撮像部２０５を保護する処理、フラグや制御変数等を含むパラメータや設定値、設定モードを不揮発性メモリ２１３に記録し、電源供給が不要な部分への電源を遮断する処理が含まれる。
【００４０】
Ｓ３１１の終了処理が完了すると、電源オフ状態へ移行する。
【００４１】
＜静止画記録モード＞図４を参照して、図３のＳ３０４における静止画記録モード処理について説明する。なお、図４の処理は、モード切替ボタン１０３により他の動作モードへの切り替えが指示された場合や電源スイッチ１０５がオフされた場合に割り込み処理等により終了するものである。
【００４２】
Ｓ４０１では、システム制御部２０１は、撮影モードを確定する。撮影モードの確定は、不揮発性メモリ２１３より前回の静止画記録モード終了時点における撮影モードを取得してシステムメモリ２１２に格納することでなされる。この撮影モードは、静止画を撮影するための撮影モードである。本実施形態のデジタルカメラ１００は以下の撮影モードを有する。
【００４３】
・オート撮影モード：カメラの各種パラメータが、計測された露出値に基づいてデジタルカメラ１００に組み込まれたプログラムにより自動的に決定されるモード。
【００４４】
・マニュアルモード：カメラの各種パラメータをユーザが自由に変更可能なモード。
【００４５】
・シーンモード：撮影シーンに適したシャッター速度や絞り値、ストロボ発光状態、感度設定等の組み合わせが自動で設定される。
【００４６】
なお、シーンモードには以下のモードが含まれる。
【００４７】
・ポートレートモード：背景をぼかして人物を浮き立たせるようにして人物撮影に特化したモード。
【００４８】
・夜景モード：人物にストロボ光をあて背景を遅いシャッター速度で記録する、夜景シーンに特化したモード。
【００４９】
・風景モード：広がりのある風景シーンに特化したモード。
【００５０】
・ナイト＆スナップモード：三脚なしで夜景と人物をきれいに撮るのに適したモード。
【００５１】
・キッズ＆ペットモード：よく動き回る子供やペットをシャッターチャンスを逃さず撮影可能にしたモード。
【００５２】
・新緑＆紅葉モード：新緑等の木々や葉を色鮮やかに撮影するのに適したモード。
【００５３】
・パーティーモード：蛍光灯や電球のもとで、手振れを抑えて被写体に忠実な色味で撮影するモード。
【００５４】
・スノーモード：雪景色をバックにしても人物が暗くならず、青みも残さず撮影するモード。
【００５５】
・ビーチモード：太陽光の反射の強い海面や砂浜でも、人物などが暗くならずに撮影可能なモード。
【００５６】
・花火モード：打ち上げ花火を最適な露出で鮮やかに撮影するためのモード。
【００５７】
・水族館モード：屋内の水槽内の魚などを撮影するのに適した感度、ホワイトバランス、色味を設定するモード。
【００５８】
・水中モード：水中に最適なホワイトバランスに設定し、青みを押さえた色合いで撮影するモード。
【００５９】
・モノクロモード：白黒／セピア／青／紫／緑等の調色を選択し撮影するモード。
【００６０】
・極彩色モード：彩度を上げた鮮烈な色で撮影するモード。
【００６１】
・ライブビューモード：明るさ／色合い／鮮やかさを分かりやすい言葉で選択し絵作り可能な撮影モード。
【００６２】
・撮影者記録モード：インカメラではストロボ発光ができないためストロボなしで最適な画像を得るために露出、ＷＢ等を制御するモード。
【００６３】
Ｓ４０２では、システム制御部２０１は、撮像部２０５で撮像された画像データのスルー表示を行う（画像表示制御）。スルー表示は、撮像部２０５で撮像されている画像を記録媒体１０９に記録することなくほぼリアルタイムの動画を表示部１０１に表示するもので、これを見て撮影者は画角の確認や撮影のタイミングを調整することができる。
【００６４】
Ｓ４０３では、システム制御部２０１は，電源制御部２１４により電源部２１５の残容量や、記録媒体１０９の有無や残容量がデジタルカメラ１００の動作に問題があるか否かを判定する。問題がある場合はＳ４０４に進み、表示部１０１に画像や音声により所定の警告表示を行い、Ｓ４０１に戻り、問題がない場合はＳ４０５に進む。
【００６５】
Ｓ４０５では、システム制御部２０１は、ユーザ設定に応じて不揮発性メモリ２１３に格納された撮影設定をシステムメモリ２１２に展開して撮影パラメータを設定しているか否かを判定する。設定中していない場合はＳ４０７に進み、設定中の場合はＳ４０６に進み、撮影パラメータ設定に応じた処理を行う。Ｓ４０６でインカメラの画質を優先して撮影するパラメータ設定については図６を用いて後述する。
【００６６】
Ｓ４０７では、システム制御部２０１は、スルー表示される画像中から人物の顔を検出する（顔検出処理）。システム制御部２０１は、顔検出処理において人物の顔が検出された場合、検出した顔の位置座標、サイズ（幅、高さ）、検出個数、信頼性係数等を顔情報としてシステムメモリ２１２に記憶する。顔検出処理において顔が検出されなかった場合はシステムメモリ２１２の位置座標、サイズ（幅、高さ）、検出個数、信頼性係数等の領域に０を設定する。
【００６７】
Ｓ４０９では、システム制御部２０１は、第１シャッタースイッチ信号ＳＷ１がＯＮしているか否かを判定する（撮影準備指示受付）。第１シャッタースイッチ信号ＳＷ１がＯＦＦの場合はＳ４０５に戻る一方、ＯＮの場合はＳ４１０に進む。
【００６８】
Ｓ４１０では撮影準備動作が行われる。システム制御部２０１は、測距処理を行って撮影レンズ２０３の焦点を被写体に合わせるとともに（ＡＦ処理）、測光処理を行って絞り値及びシャッタースピードを決定する（ＡＥ処理）。なお、測光処理において、必要であればフラッシュの設定も行われる。また、Ｓ４０７で顔が検出されている場合、検出した顔の範囲で測距を行う顔ＡＦを行うことも可能である。インカメラ側でも同様に撮影準備動作処理を行う。
【００６９】
Ｓ４１１、Ｓ４１２では、システム制御部２０１は、第１シャッタースイッチ信号ＳＷ１と第２シャッタースイッチ信号ＳＷ２のＯＮ／ＯＦＦ状態を判定する。第１シャッタースイッチ信号ＳＷ１がＯＮ状態で第２シャッタースイッチ信号ＳＷ２がＯＮになった場合はＳ４１３へ進む。その後、第１シャッタースイッチ信号ＳＷ１がＯＦＦになると（第２シャッタースイッチ信号ＳＷ２がＯＮせず、第１シャッタースイッチ信号ＳＷ１もＯＦＦされた場合）、Ｓ４０６へ戻る。また、第１シャッタースイッチ信号ＳＷ１がＯＮ、第２シャッタースイッチ信号ＳＷ２がＯＦＦの間は、Ｓ４１１、Ｓ４１２の処理が繰り返される。
【００７０】
Ｓ４１３では、システム制御部２０１は、表示部１０１をスルー表示状態から固定色表示状態（例えば黒一色の表示）に設定する。
【００７１】
Ｓ４１４では、システム制御部２０１は、露光処理や現像処理を含む撮影処理を実行する。露光処理では、撮像部２０５、Ａ／Ｄ変換器２０６から得られた画像データが、画像処理部２０７及びメモリ制御部２０９を介して、或いはＡ／Ｄ変換器２０６から直接メモリ制御部２０９を介して、メモリ２１０に書き込まれる。また、現像処理では、システム制御部２０１が、メモリ制御部２０９、必要に応じて画像処理部２０７により、メモリ２１０に書き込まれた画像データを読み出して各種処理を行う。
【００７２】
Ｓ４１５では、システム制御部２０１は、撮影処理で得られた画像データのクイックレビュー表示を行う。クイックレビュー表示とは、撮影画像の確認のために、被写体の撮影後記録媒体への記録前に、予め決められた時間（レビュー時間）だけ画像データを表示部１０１に表示する処理である。
【００７３】
Ｓ４１６では、システム制御部２０１は、アウトカメラで撮影された第１の画像データ（以下、アウトカメラ画像ともいう）をファイルとして記録媒体１０９に書き込む。このとき、インカメラで撮影された第２の画像データ（以下、インカメラ画像ともいう）も記録媒体１０９に書き込む。アウトカメラとインカメラのそれぞれで撮影された画像データは、両者を関連付けるメタデータが埋め込まれており、例えば再生モードで画像データを表示する際に、アウトカメラ画像データとインカメラ画像データを表示部１０１に同時に表示することができる。本実施形態では、撮影画像の番号を連番にすることで実現する。なお、別途、関連付け情報を持つことでも実現できる。
【００７４】
Ｓ４１７では、システム制御部２０１は、第２シャッタースイッチ信号ＳＷ２のＯＮ／ＯＦＦ状態を判定し、第２シャッタースイッチ信号ＳＷ２がＯＦＦになるのを待つ。第２シャッタースイッチ信号ＳＷ２がＯＦＦになるまでの間、上記クイックレビュー表示を継続させる。即ち、Ｓ４１６の記録処理が終了した際に、第２シャッタースイッチ信号ＳＷ２がＯＦＦされるまで表示部１０１へのクイックレビュー表示を継続させる。このように構成することにより、ユーザは、シャッターボタン１０２の全押し状態を継続することで、クイックレビュー表示を用いた撮影画像データの確認を入念に行うことが可能となる。Ｓ４１７で第２シャッタースイッチ信号ＳＷ２がＯＦＦとなると、つまり、ユーザがシャッターボタン１０２から指を放すなどして全押し状態が解除されると、Ｓ４１８へ進む。
【００７５】
Ｓ４１８では、システム制御部２０１は、予め定められたクイックレビュー表示のレビュー時間が経過したか否かを判定する。レビュー時間が経過していない場合はレビュー時間が経過するのを待ち、レビュー時間が経過するとＳ４１９に進む。
【００７６】
Ｓ４１９では、システム制御部２０１は、表示部１０１をクイックレビュー表示からスルー表示状態に戻す。この処理により、クイックレビュー表示によって撮影画像データを確認した後、表示部１０１の表示状態は次の撮影のために撮像部２０５で撮像された画像データを逐次表示するスルー表示状態に自動的に切り替わることになる。
【００７７】
Ｓ４２０では、システム制御部２０１は、第１シャッタースイッチ信号ＳＷ１のＯＮ／ＯＦＦ状態を判定し、ＯＮの場合はＳ４１１へ戻り、ＯＦＦの場合はＳ４０５へ戻る。即ち、システム制御部２０１は、シャッターボタン１０２の半押し状態が継続している（第１シャッタースイッチ信号ＳＷ１がＯＮ）場合は、次の撮影に備える（Ｓ４１１）。一方、シャッターボタン１０２が放された（第１シャッタースイッチ信号ＳＷ１がＯＦＦ）場合は、一連の撮影動作を終えて撮影待機状態に戻る（Ｓ４０６）。
【００７８】
＜再生モード＞図５を参照して、図３のＳ３０８における再生モード処理について説明する。
【００７９】
Ｓ５０１では、システム制御部２０１は、記録媒体１０９から最新画像情報を取得する。最新画像情報の取得を総枚数計算や検索リスト作成よりも先に行うことで、再生モードへの移行時に素早くそれらの処理結果を表示できるという効果がある。
【００８０】
Ｓ５０２では、システム制御部２０１は、Ｓ５０１における最新画像情報の取得が正しく行われたかどうかをチェックする。最新画像情報を取得できなかった場合はＳ５１２に進む。
【００８１】
Ｓ５１２では、システム制御部２０１は、画像なし時の入力待ち状態となる。なお、最新画像情報を取得できない場合とは、画像が１枚もないような状態や、メディア不良によって画像情報が取得できなかったような状態等がある。最新画像情報が取得できれば、少なくとも画像が１枚は存在すると判定され、Ｓ５０３へ進む。
【００８２】
Ｓ５０３では、システム制御部２０１は、Ｓ５０１で取得した最新画像情報を元に記録媒体１０９から最新画像データを読み出す。更に最新画像と対のインカメラ画像データも記録媒体１０９から読み出す。
【００８３】
Ｓ５０４では、システム制御部２０１は、ファイル解析処理を行い、記録媒体１０９から読み出した最新画像データにおける画像の撮影情報や属性情報等を取得するとともに、インカメラ画像データから人物検出データを取得する。
【００８４】
Ｓ５０５では、システム制御部２０１は、インカメラで撮影を行い、メモリ２１０にインカメラ画像データを格納する。
【００８５】
Ｓ５０６では、システム制御部２０１は、Ｓ５０３で記録媒体１０９から読み出したインカメラ画像データから検出された人物情報と、Ｓ５０５でインカメラで撮影した視聴者の人物情報とを比較する。
【００８６】
Ｓ５０６で視聴者と撮影者が同一の場合は、Ｓ５０７に進み、システム制御部２０１は、記録媒体１０９から読み出した最新画像データ７００をインカメラ画像データ７０１よりも大きく表示する（図７（ａ））。なお、このとき、最新画像データのみを表示することで撮影者が記録した画像データ７００のみを確認することも可能である（図７（ｂ））。
【００８７】
Ｓ５０６で視聴者と撮影者が同一でない場合は、Ｓ５０８に進み、システム制御部２０１は、インカメラ画像データ７０３を、記録媒体１０９から読み出した最新画像データ７０４よりも大きく表示する（図７（ｃ））。
【００８８】
このように撮影者と被撮影者の双方を確認することで撮影現場の雰囲気を視聴者は楽しむことができる。また、撮影者の思いや気持を確認しながら撮影画像を楽しむことができる。
【００８９】
さらに、Ｓ５０７、Ｓ５０８では、Ｓ５０４で取得した撮影情報や属性情報等も表示する。また、Ｓ５０４のファイル解析結果に応じて、ファイルの一部が壊れているなど不正なデータであることが判明した場合はエラー表示も行われる。
【００９０】
Ｓ５０９では、システム制御部２０１は、記録媒体１０９に記録されている画像ファイルの総枚数取得処理を開始する。この処理はバックグランドで行われ、その完了を待たずに次の処理に進むことができる。このようにすることで、多くの画像データが記録媒体１０９に格納されており、総枚数計算に時間がかかるような場合でも、総枚数計算の完了を待たずに画像を閲覧することが可能になる。この処理は、記録モードから再生モードに移行した際に、記録モードで新たに画像データが記録または削除され、総枚数に違いが生じた場合に特に有効な処理である。記録モードで新たに画像データが記録または削除されていない場合には、既に計算済みの総枚数を利用するため、総枚数計算の処理は行わなくても良い。
【００９１】
Ｓ５１０では、システム制御部２０１は、検索リストの作成を開始する。検索リストとは画像データに付与された属性情報を予め取得し管理するリストである。予め検索リストを作成しておくことで属性ごとの再生や消去といった処理を迅速に行うことが可能となる。検索リスト作成処理も総枚数計算同様にバックグランドで実行されるので、その完了を待たずに次の処理を実行させることができる。
【００９２】
Ｓ５１１では、システム制御部２０１は、入力待ち状態に入る。
【００９３】
＜撮影パラメータ設定＞図６を参照して、図４のＳ４０６における撮影パラメータ設定によりインカメラの画質を優先する設定方法について説明する。
【００９４】
Ｓ６０１では、システム制御部２０１は、操作部１０４によりメニュー（図８（ａ））からユーザ操作が行われたか判定する。ユーザ操作登録が行われた場合は、Ｓ６０２へ進む。図８（ａ）はＳ６０１においてユーザ登録を行うためのＵＩ画面８００を示しており、インカメラユーザ登録８０１を選択することでユーザ登録が可能となる。
【００９５】
Ｓ６０２では、システム制御部２０１は、インカメラ画像のスルー表示を行い、登録終了ダイアログを表示する（図８（ｂ））。図８（ｂ）はＳ６０２においてユーザ登録を終了するためのＵＩ画面８０２を示しており、インカメラ画像のライブビュー８０３が表示され、登録終了ダイアログ８０４でＯＫを選択すると処理を終了することができる。
【００９６】
Ｓ６０３で登録終了が選択されると、システム制御部２０１は撮影パラメータ設定を終了し、登録終了が選択されない場合はＳ６０４へ進む。
【００９７】
Ｓ６０４では、システム制御部２０１は顔検出を行った結果、顔検出ができた場合はＳ６０５へ進み、できなかった場合はＳ６０２へ戻り、顔が検出されるまでライブビュー表示を維持する。
【００９８】
Ｓ６０５では、システム制御部２０１は、インカメラでユーザ登録撮影を行う。
【００９９】
Ｓ６０６では、システム制御部２０１は、撮影した顔の確認表示を行う。
【０１００】
Ｓ６０７で登録実行が選択されると、システム制御部２０１は、不揮発性メモリ２１３に顔情報を格納する（Ｓ６０８）。図８（ｃ）はＳ６０８において人物情報を登録するためのＵＩ画面８０５を示しており、パラメータ設定ダイアログ８０６により登録した人物の撮影パラメータ設定が可能となる。図８（ｃ）では、インカメラの画質を優先する設定が可能となる。確認表示８０７では登録する人物の確認ができ、ユーザ登録ダイアログ８０８では、登録の確定／キャンセルが選択できる。上記撮影パラメータ設定において、インカメラ画像データの記録画素数を優先する設定を行うことで、撮影者の画像を優先して記録することができる。例えば、子供にカメラを貸した場合などにおいて、子供が撮影した画像よりも撮影者である子供の表情が写った画像を優先して残したい場合などに有効な機能となる。
【０１０１】
次に、撮影者と登録ユーザの確認方法について説明する。
【０１０２】
Ｓ６０９では、システム制御部２０１は、撮影パラメータで撮影者検出が設定されているか判定し、撮影者検出が設定されている場合は、インカメラ画像データについて画像処理部２０７により顔検出を行う（Ｓ６１０）。
【０１０３】
Ｓ６１１では、システム制御部２０１は、不揮発性メモリ２１３に登録ユーザがあるか否かを判定し、登録ユーザがない場合は処理を終了し、登録ユーザがある場合はＳ６１２に進む。
【０１０４】
Ｓ６１２では、システム制御部２０１は、インカメラ優先設定を行う。具体的にはインカメラ画像データの記録画素数をアウトカメラよりも優先して大きくした設定にする。インカメラ優先設定の場合は、インカメラ優先設定を行わない場合よりもインカメラ画像データの記録画素数が大きくなるように設定される。また、インカメラ優先設定の場合に、インカメラの記録画素数をアウトカメラの記録画素数よりも大きくなるように設定する。また、インカメラ優先設定の場合に、インカメラ優先設定されていない通常時よりも、アウトカメラの記録画素数を小さくすることにより、インカメラ優先設定を実現しても良い。こうすることで、前述の例のように子供の表情を高画質で記録することが可能となる。なお、記録画素数を変化させることにより、インカメラ優先設定を行うだけでなく、インカメラ画像データにアパーチャを強くかけたり、圧縮率の設定を優先したりすることで画質を優先してインカメラ優先設定する方法も考えられる。
【０１０５】
また、インカメラ優先表示およびアウトカメラ優先表示について、再生モード時だけでなく、撮影モードのスルー表示時や、クイックレビュー表示時に行っても良い。スルー表示時や、クイックレビュー表示時に行う場合、インカメラで撮影した画像から撮影者を検出し、撮影者が登録ユーザであるかに応じて、インカメラ優先表示およびアウトカメラ優先表示を切り替える。例えば、撮影者が登録ユーザであると判定された場合には、アウトカメラ優先表示を行いアウトカメラで撮影した画像のみを表示してインカメラで撮影した画像を非表示にするなどの処理が考えられる。
【０１０６】
［その他の実施形態］本発明は、以下の処理を実行することによっても実現される。即ち本実施形態の機能を実現するソフトウェア（プログラム）を、ネットワーク又は各種記憶媒体を介してシステムあるいは装置に供給し、そのシステムあるいは装置のコンピュータ（またはＣＰＵやＭＰＵなど）がプログラムを読み出して実行する処理である。
【図１】
2014112822.tif 000003
【図２】
2014112822.tif 000004
【図３】
2014112822.tif 000005
【図４】
2014112822.tif 000006
【図５】
2014112822.tif 000007
【図６】
2014112822.tif 000008
【図７】
2014112822.tif 000009
【図８】
2014112822.tif 000010